(57)【要約】      （修正有）【課題】柔軟性を有することで、サーフボードの直進性及び回転性を向上可能なサーフボード用フィンを提供する。【解決手段】サーフボード用フィン５０は、桐材で形成されたフィン心材５１が、サーフボードに設けられた状態で、板の目が、ボトム面１Ｂに対し３０度から４５度の角度で、サーフボードの後端側に向かって上り傾斜している。これにより、サーフボード用フィン５０に、水からの圧力に対する柔軟性をもたせることができる。そして、このようなサーフボード用フィン５０をサーフボードに設けることで、サーフボードの直進性及び回転性を向上可能となる。【選択図】図４
0003209900.tif 000002
【実用新案登録請求の範囲】
【請求項１】
サーフボードのボトム面に設けられるサーフボード用フィンであって、
桐材が被覆材で覆われたサーフボード用フィン。
【請求項２】
前記桐材は、前記サーフボード用フィンが前記サーフボードに設けられた状態で、板の目が、前記ボトム面に対し３０度から４５度の角度で、前記サーフボードの後端側に向かって上り傾斜している請求項１に記載のサーフボード用フィン。
【考案の詳細な説明】
【技術分野】
【０００１】
本考案は、サーフボード用フィンに関し、特に、サーフボードのボトム面に設けられるサーフボード用フィンに関する。
【背景技術】
【０００２】
従来、サーフボードは、デッキ面に使用者が乗り、ボトム面が水面に押しつけられ波の力を受け、使用者の体重移動により、側部（レール）が水面に食い込み、水面に食い込んだ側部方向にカーブする。また、サーフボードのボトム面には、サーフボードの直進性及び回転性を向上するためのサーフボード用フィンが設けられている。
【０００３】
このようなサーフボード用フィンとして、第２部分に連動結合された第１部分からなるセールボードフィンまたはサーフボードフィンにおいて、２つのタイプのプラスチック材料から第１部分を構成したサーフボードフィンが開示されている（特許文献１参照）。
【先行技術文献】
【特許文献】
【０００４】
【特許文献１】特表２００８−５４３６２９号公報
【考案の概要】
【考案が解決しようとする課題】
【０００５】
ところで、サーフボード用フィンは、使用中、水中で面全体に水から圧力を受けるため、強度が要求されるとともに、サーフボードの直進性及び回転性をより向上するための水からの圧力に対して柔軟に変形する必要がある。
【０００６】
しかしながら、特許文献１のサーフボード用フィンのように、プラスチック材料で形成すると、要求される強度は確保できるものの水からの圧力に対して柔軟性に欠けていた。
【０００７】
本考案は、柔軟性を有することで、サーフボードの直進性及び回転性を向上可能なサーフボード用フィンを提供することを目的とする。
【課題を解決するための手段】
【０００８】
（１）  サーフボードのボトム面に設けられるサーフボード用フィンであって、
桐材が被覆材で覆われたサーフボード用フィン。
【０００９】
ここで、桐材は、木材の中において、比較的軽く、強度が比較的高く、反りに対する柔軟性が比較的高いという特徴がある。
（１）の構成によれば、サーフボードのボトム面に設けられるサーフボード用フィンを、桐材が被覆材で覆われている構成とした。
これにより、サーフボード用フィンに、柔軟性をもたせることができる。そして、このようなサーフボード用フィンをサーフボードに設けることで、サーフボードの直進性及び回転性が向上可能となる。
【００１０】
（２）  前記桐材は、前記サーフボード用フィンが前記サーフボードに設けられた状態で、板の目が、前記ボトム面に対し３０度から４５度の角度で、前記サーフボードの後端側に向かって上り傾斜している（１）に記載のサーフボード用フィン。
【００１１】
（２）の構成によれば、サーフボード用フィンの桐材は、サーフボード用フィンがサーフボードに設けられた状態で、板の目を、ボトム面に対し３０度から４５度の角度で、サーフボードの後端側に向かって上り傾斜させた。
これにより、サーフボード用フィンの側面からの水からの圧力に対する強度が向上し、割れ防止が図れ、サーフボードの進行方向に対して発生する反りに対して柔軟に変形可能となる。
したがって、柔軟性を有することで、サーフボードの直進性及び回転性をより向上可能なサーフボード用フィンを提供できる。
【考案の効果】
【００１２】
本考案によれば、柔軟性を有することで、サーフボードの直進性及び回転性を向上可能なサーフボード用フィンを提供できる。
【図面の簡単な説明】
【００１３】
【図１】本考案の一実施形態に係るサーフボードをデッキ面から視た図である。
【図２】前記実施形態に係るサーフボードをボトム面から視た図である。
【図３】前記実施形態に係るサーフボードを側面から視た図である。
【図４】前記実施形態に係るサーフボードのサーフボード用フィンを側面から視た図である。
【考案を実施するための形態】
【００１４】
本考案の実施形態に係るサーフボード１の構成を図面に基づいて説明する。
図１は、本考案の一実施形態に係るサーフボード１をデッキ面１Ａから視た図である。
図２は、前記実施形態に係るサーフボード１をボトム面１Ｂから視た図である。
図３は、前記実施形態に係るサーフボード１を側面から視た図である。
【００１５】
サーフボード１は、先端から後端に延びる板状のストリンガー１０の両面に、小口が配置された板状の芯材２０が固定されている。
また、サーフボード１は、図３に示すように、ストリンガー１０と芯材２０とが外装材３０で覆われ、デッキ面１Ａにリーシュカップ４０が設けられ、ボトム面１Ｂにサーフボード用フィン５０が設けられている。
【００１６】
ストリンガー１０は、桐材により形成され、ボトム面側に膨出する緩やかな円弧形状に形成され、その幅が中央部から先端側及び後端側に向かって徐々に狭くなるように形成されている。
なお、ストリンガー１０は、サーフボード１を制作するシェイパーにより、サーフボード１に求める特性（例えば、テイクオフが早い、曲がり易い、巻き込む波に適している等）に応じた形状に精密に加工される。また、ストリンガー１０は、桐材に限らず、任意の材料で形成してもよい。
【００１７】
芯材２０は、ストリンガー１０を中心に左右対称に形成されている。
芯材２０は、板状に形成された、例えば、発泡ウレタンフォームにより形成され、図１及び図２に示すように、デッキ面１Ａ及びボトム面１Ｂから視て、左右方向の幅が中方部分から先端側及び後端側に向かって徐々に狭くなるように形成されている。
また、芯材２０は、図３に示すように、ストリンガー１０に固定された中央部分の厚さが最も厚く、左右端部に向かって徐々に薄くなり、緩やかな円弧を描き、デッキ面１Ａからボトム面１Ｂに連なっている。
このように構成されることで、ストリンガー１０は、芯材２０の骨格として機能し、サーフボード１の剛性を向上させる。
【００１８】
外装材３０は、例えば、ガラスクロスをレジンで一体化したもので形成され、芯材２０全体を覆っている。
【００１９】
リーシュカップ４０は、図１に示すように、サーフボード１のデッキ面１Ａの後端側に、リーシュを接続するために設けられている。
【００２０】
サーフボード用フィン５０は、サーフボード１のボトム面１Ｂの後端側に設けられている。
図４は、前記実施形態に係るサーフボード１のサーフボード用フィン５０を側面から視た図である。なお、図４に示すサーフボード用フィン５０は、フィン固定部を介して設けるタイプを示しているが、これに限らず、直接設けてもよい。
サーフボード用フィン５０は、桐材で形成されたフィン心材５１が被覆材５２（レジン等）で覆われている。
フィン心材５１は、サーフボード用フィン５０がサーフボード１に設けられた状態で、桐材の板の目が、ボトム面１Ｂに対し３０度から４５度の角度で、サーフボード１の後端側に向かって上り傾斜している。
【００２１】
本実施形態によれば、サーフボード１のボトム面１Ｂに設けられるサーフボード用フィン５０を、桐材で形成されたフィン心材５１が被覆材５２で覆われている構成とした。
これにより、サーフボード用フィン５０に、水からの圧力に対する柔軟性をもたせることができる。そして、このようなサーフボード用フィン５０をサーフボード１に設けることで、サーフボード１の直進性及び回転性を向上可能となる。
【００２２】
本実施形態によれば、サーフボード用フィン５０の桐材で形成されたフィン心材５１は、サーフボード用フィン５０がサーフボード１に設けられた状態で、板の目を、ボトム面１Ｂに対し３０度から４５度の角度で、サーフボード１の後端側に向かって上り傾斜させた。
これにより、サーフボード用フィン５０の側面からの水からの圧力に対する強度が向上し、割れ防止が図れ、サーフボード１の進行方向に対して発生する反りに対して柔軟に変形可能となる。
したがって、柔軟性を有することで、サーフボード１の直進性及び回転性をより向上可能なサーフボード用フィン５０を提供できる。
【００２３】
なお、本考案は前記実施形態に限定されるものではなく、本考案の目的を達成できる範囲での変形、改良等は本考案に含まれるものである。
【符号の説明】
【００２４】
１    サーフボード
１Ａ  デッキ面
１Ｂ  ボトム面
１０  ストリンガー
２０  芯材
３０  外装材
４０  リーシュカップ
５０  サーフボード用フィン
５１  フィン心材
５２  被覆材
【図１】
0003209900.tif 000003
【図２】
0003209900.tif 000004
【図３】
0003209900.tif 000005
【図４】
0003209900.tif 000006